(57)【要約】      （修正有）【課題】第１基板と第２基板とが電気的に干渉することがなく、かつパネル部を含めて小型化できる装置を提供する。【解決手段】当該装置は、装置筐体２１と、装置筐体２１内に配置されており、当該装置の動作を制御する制御回路が設けられた制御基板９０と、装置筐体２１内に配置されて制御基板９０と電気的に接続された通信基板７０と、装置筐体２１に設けられており、画像を表示する表示部又は動作指示が入力される入力部の少なくともいずれか一方が設けられたパネル部１１０とを具備している。制御基板９０は、その表裏面が装置筐体２１の載置面と平行となるように配置されている。通信基板７０は、その表裏面が制御基板９０の表裏面と直交するように配置されている。前後方向８において通信基板７０及びパネル部１１０がそれぞれ占める位置範囲の少なくとも一部が重複している。【選択図】図３
2015189034.tif 000002
【特許請求の範囲】
【請求項１】
装置筐体と、
上記装置筐体内に配置されており、当該装置の動作を制御する制御回路が設けられた第１基板と、
上記装置筐体内に配置されて上記第１基板と電気的に接続された第２基板と、
上記装置筐体に設けられており、画像を表示する表示部又は動作指示が入力される入力部の少なくともいずれか一方が設けられたパネル部と、を具備しており、
上記第１基板は、その表裏面が上記装置筐体の載置面と平行となるように配置されており、
上記第２基板は、その表裏面が上記第１基板の表裏面と直交するように配置されており、
上記第２基板の表裏面と直交する第１方向において上記第２基板及び上記パネル部がそれぞれ占める位置範囲の少なくとも一部が重複している電子装置。
【請求項２】
上記パネル部は、上記装置筐体に回動可能に支持された回動支持部を有しており、
上記第１方向において上記第２基板及び上記回動支持部がそれぞれ占める位置範囲の少なくとも一部が重複している請求項１に記載の電子装置。
【請求項３】
上記第１方向及び上記第１基板の表裏面と直交する第２方向とそれぞれ直交する第３方向において上記第２基板及び上記パネル部がそれぞれ占める位置範囲の少なくとも一部が重複している請求項１又は２に記載の電子装置。
【請求項４】
上記パネル部の表面は、上記第２基板と平行である請求項１に記載の電子装置。
【請求項５】
上記第２基板は、外部機器と無線通信を行う通信回路を有するものである請求項１から４のいずれかに記載の電子装置。
【請求項６】
上記装置筐体は、上記第２基板の上方を覆う第１カバーを有しており、
上記第１カバーは、上記パネル部から延出されたケーブルを保持する保持部を有する請求項１から５のいずれかに記載の電子装置。
【請求項７】
上記第１カバーは、液体を貯留可能な凹部を有する請求項６に記載の電子装置。
【請求項８】
上記第１基板は、上記第２基板と接続されるコネクタを有しており、
上記装置筐体は、上記第１基板の上方を覆う第２カバーを有しており、
上記第２カバーは、上記コネクタに沿った切欠き部を有する請求項１から７のいずれかに記載の電子装置。
【発明の詳細な説明】
【技術分野】
【０００１】
本発明は、パネル部と、第１基板及び第２基板とを有する電子装置に関する。
【背景技術】
【０００２】
従来より、装置の動作を制御する制御回路が設けられた第１基板と、制御回路とは別の回路が設けられた第２基板と、を備えた電子装置が知られている。このような２種類の基板を装置筐体内に収容する装置においては、装置が大型化しないことが要望されている（特許文献１，２）。
【先行技術文献】
【特許文献】
【０００３】
【特許文献１】特開平８−６４７２号公報
【特許文献２】特開２００１−２６０４６７号公報
【発明の概要】
【発明が解決しようとする課題】
【０００４】
電子装置では、画像を表示する表示部や動作指示を入力する入力部を有するパネル部を有するものがある。前述された第１基板及び第２基板は、パネル部との関係においても大型化しないようにレイアウトされることが要望される。また、第１基板及び第２基板は電気的に干渉しないようにレイアウトされることが望ましい。
【０００５】
本発明は、前述された事情に鑑みてなされたものであり、その目的とするところは、第１基板と第２基板とが電気的に干渉することがなく、かつパネル部を含めて小型化できる手段を提供することにある。
【課題を解決するための手段】
【０００６】
(1)  本発明に係る電子装置は、装置筐体と、上記装置筐体内に配置されており、当該装置の動作を制御する制御回路が設けられた第１基板と、上記装置筐体内に配置されて上記第１基板と電気的に接続された第２基板と、上記装置筐体に設けられており、画像を表示する表示部又は動作指示が入力される入力部の少なくともいずれか一方が設けられたパネル部と、を具備する。上記第１基板は、その表裏面が上記装置筐体の載置面と平行となるように配置されている。上記第２基板は、その表裏面が上記第１基板の表裏面と直交するように配置されている。上記第２基板の表裏面と直交する第１方向において上記第２基板及び上記パネル部がそれぞれ占める位置範囲の少なくとも一部が重複している。
【０００７】
第１方向において第２基板及びパネル部がそれぞれ占める位置範囲の少なくとも一部が重複しているので、装置の小型化が実現される。
【０００８】
(2)  上記パネル部は、上記装置筐体に回動可能に支持された回動支持部を有しており、上記第１方向において上記第２基板及び上記回動支持部がそれぞれ占める位置範囲の少なくとも一部が重複していてもよい。
【０００９】
第１方向において第２基板及び回動支持部がそれぞれ占める位置範囲の少なくとも一部が重複しているので、装置の小型化が実現される。
【００１０】
(3)  上記第１方向及び上記第１基板の表裏面と直交する第２方向とそれぞれ直交する第３方向において上記第２基板及び上記パネル部がそれぞれ占める位置範囲の少なくとも一部が重複していてもよい。
【００１１】
第１方向及び第３方向において第２基板及びパネル部がそれぞれ占める位置範囲の少なくとも一部が重複しているので、装置の小型化が実現される。
【００１２】
(4)  上記パネル部の表面は、上記第２基板と平行であってもよい。
【００１３】
(5)  上記第２基板として、外部機器と無線通信を行う通信回路を有するものが挙げられる。
【００１４】
(6)  上記装置筐体は、上記第２基板の上方を覆う第１カバーを有しており、上記第１カバーは、上記パネル部から延出されたケーブルを保持する保持部を有するものであってもよい。
【００１５】
(7)  上記第１カバーは、液体を貯留可能な凹部を有するものであってもよい。
【００１６】
(8)  上記第１基板は、上記第２基板と接続されるコネクタを有しており、上記装置筐体は、上記第１基板の上方を覆う第２カバーを有しており、上記第２カバーは、上記コネクタに沿った切欠き部を有するものであってもよい。
【００１７】
これにより、第２カバーの切欠き部を通じて第２基板を第１基板のコネクタに接続することができる。
【発明の効果】
【００１８】
本発明によれば、装置を小型化できる。
【図面の簡単な説明】
【００１９】
【図１】図１は、複合機１０の外観斜視図である。
【図２】図２は、プリンタ部１１の内部構成を模式的に示す縦断面図である。
【図３】図３は、プリンタ部１１の平面図である。
【図４】図４は、図３から第２カバー１３０とパネル部１１０とを取り除いた図である。
【図５】図５は、図３のＶ−Ｖ断面図である。
【図６】図６（Ａ）は、図５における破線で囲まれた部分の拡大図であり、図６（Ｂ）は、図６（Ａ）に第１カバー１２０を追加した図である。
【図７】図７（Ａ）は、プリンタ部１１における通信基板７０周辺の斜視図であり、図７（Ｂ）は、図７（Ａ）に第１カバー１２０を追加した図である。
【図８】図８は、図３に第１カバー１２０を追加した図である。
【図９】図９は、図４から制御基板９０を取り除いた図である。
【図１０】図１０は、通信基板７０とパネル部１１０とを模式的に示す平面図である。
【発明を実施するための形態】
【００２０】
以下、本発明の実施形態について説明がされる。なお、以下に説明される実施形態は本発明の一例であり、本発明の要旨を変更しない範囲において実施形態が適宜変更されてもよい。以下の説明においては、図１に示されるように、複合機１０を使用可能に設置した状態を基準として上下方向７が定義されている。また、パネル部１１０が設けられた側を複合機１０の前面（正面）として前後方向８が定義されている。また、複合機１０を前面側から見て左右方向９が定義されている。上下方向７、前後方向８、及び左右方向９は、互いに直交している。
【００２１】
［複合機１０の概要］
図１に示されるように、複合機１０（本発明の電子装置の一例）は、概ね直方体形状の外観の装置筐体２１を備えている。また、複合機１０は、後述する制御基板９０（本発明の第１基板の一例）、通信基板７０（本発明の第２基板の一例）、及びパネル部１１０を備えている。制御基板９０及び通信基板７０は、装置筐体２１の内部に配置されており、パネル部１１０は、装置筐体２１の前側に配置されている。
【００２２】
また、複合機１０は、その上部に、記録用紙などの原稿に記録された画像をイメージセンサ（不図示）によって読み取って画像データを取得するスキャナ部１２を備えている。また、複合機１０は、その下部に、給紙カセット３０に収容された記録用紙などのシート６（図２参照）に画像を記録するプリンタ部１１を備えている。複合機１０は、プリント、スキャン、コピー、及び外部機器との無線通信などの機能を有している。
【００２３】
スキャナ部１２は、所謂フラットベッドスキャナとして構成されているが、ここでは、スキャナ部１２の内部構成の詳細な説明は省略される。なお、スキャナ部１２を構成するプラテンガラスやイメージセンサなどは、装置筐体２１の内部のうち上側部分に配置されている。
【００２４】
図２に示されるように、プリンタ部１１は、給紙カセット３０、給送部４０、搬送部５０、及び記録部６０などを備えており、これらは、装置筐体２１の内部のうち、スキャナ部１２が設けられた上側部分を除いた部分に配置されている。
【００２５】
［給紙カセット３０］
図２に示されるように、給紙カセット３０は、画像記録前のシート６を保持するメイントレイ３１と、画像記録後のシート６を保持する排紙トレイ３２とを備えている。図１に示されるように、給紙カセット３０は、装置筐体２１の下部に配置されている。給紙カセット３０は、装置筐体２１の前面に設けられた開口２２を通じて挿入及び脱抜可能である。
【００２６】
［給送部４０］
図２に示されるように、給送部４０は、不図示のフレームに回転可能に支持された支軸４１と、支軸４１に一端部が回動可能に支持されたアーム４２と、アーム４２の他端部に回転可能に支持された給送ローラ４３とを備えている。アーム４２には、支軸４１の回転を給送ローラ４３に伝達する複数個のギヤ４４が設けられている。支軸４１が不図示の駆動モータにより回転されると、給送ローラ４３が回転し、シート６が搬送路５１へ送り出される。
【００２７】
［搬送部５０］
図２に示されるように、搬送部５０は、搬送路５１を構成するガイド部材（不図示）及びプラテン５４と、搬送ローラ対５５と、排紙ローラ対５６とを備えている。搬送路５１は、１点鎖線により示される湾曲路５２と、２点鎖線により示される直線路５３とを備えている。湾曲路５２は、前後方向８におけるメイントレイ３１の後端の上端を基端として上方へ向かって湾曲して延びている。直線路５３は、湾曲路５２の終端から前方へ向かって直線状に延びている。プラテン５４は、前後方向８における給紙カセット３０の後部の上側に配置されており、直線路５３の下面の一部を構成している。プラテン５４上においてシート６に画像が記録される。
【００２８】
搬送ローラ対５５は、プラテン５４の後側に配置されている。搬送ローラ対５５は、不図示の駆動モータにより駆動されることにより、搬送路５１にあるシート６を挟み、図２の二点鎖線の矢印に示される搬送向きへシート６を搬送する。
【００２９】
排紙ローラ対５６は、プラテン５４の前側に設けられている。排紙ローラ対５６は、不図示の駆動モータにより駆動されることにより、搬送路５１にあるシート６を挟み、図２の二点鎖線の矢印に示される搬送向きへシート６を搬送する。
【００３０】
シート６は、搬送ローラ対５５及び排紙ローラ対５６により、プラテン５４上において間欠搬送され、記録部６０により画像を記録される。画像を記録されたシート６は、排紙ローラ対５６により、排紙トレイ３２に排出される。
【００３１】
［記録部６０］
図２に示されるように、記録部６０は、プラテン５４の上側に配置されたキャリッジ６１と、キャリッジ６１に搭載された記録ヘッド６２とを備えている。キャリッジ６１は、左右方向９へ往復動可能にガイドレール（不図示）に支持されており、駆動モータ（不図示）により左右方向９へ往復動される。記録ヘッド６２には、インクカートリッジ（不図示）からインクが供給される。記録ヘッド６２は、供給されたインクをインク滴としてプラテン５４上のシート６へ吐出する。
【００３２】
［装置筐体２１］
上述したように、装置筐体２１は、概ね直方体形状の外観である。図１に示されるように、この直方体形状の前側を構成する前壁３３は、左右方向９の両側に一対として設けられており、この一対の前壁３３の間に、後述するパネル部１１０が嵌め込まれる。つまり、パネル部１１０は、装置筐体２１に設けられている。
【００３３】
また、装置筐体２１は、直方体形状の内部に、後述する通信基板７０（図４参照）の上方を覆う第１カバー１２０（図８参照）、後述する制御基板９０（図４参照）の上方を覆う第２カバー１３０（図３参照）、制御基板９０の下方に制御基板９０と平行に配置されており制御基板９０を支持するシールド用板金９３（図９参照）、及びシールド用板金９３を下方から支持する支持板１０９（図９参照）を備えている。
【００３４】
［パネル部１１０］
図１及び図５に示されるように、パネル部１１０は、概ね前後方向８に薄い直方体の箱形状の筐体１１１と、筐体１１１の内部に配置されており、筐体１１１の前面１１２（本発明のパネルの表面の一例）に設けられた開口（不図示）を通じて外部に露出した入力部１１３及び表示部１１４と、装置筐体２１に回動可能に支持された回動支持部１１６（図３及び図８参照）とを備えている。
【００３５】
装置筐体２１の上端部近傍の左右方向９の両端には、外側に延びた突起（不図示）が形成されている。装置筐体２１において、上記突起と対向する位置に、孔１０８（図４参照）が形成されている。上記突起が孔１０８に挿入されることにより、パネル部１１０は、装置筐体２１によって、突起の延出方向（左右方向９に平行な方向）に沿った軸線周りに回動可能に支持される。つまり、パネル部１１０は、図５に示される矢印１０６の方向に回動可能である。
【００３６】
入力部１１３は、キーである。このキーが押圧されることによって複合機１０の動作の指示が入力される。なお、図１では、入力部１１３が１つのみ示されているが、入力部１１３が複数設けられていてもよいことは言うまでもない。また、入力部１１３は、キーに限らず、例えばダイヤルやレバーなどであってもよい。
【００３７】
表示部１１４は、液晶パネルである。この液晶パネルに、画像などの複合機１０に関する情報が表示される。液晶パネルは、タッチパネルであってもよい。この場合、タッチパネルは、表示部１１４としての機能と入力部１１３としての機能の双方を有する。
【００３８】
なお、本実施形態において、パネル部１１０は、入力部１１３及び表示部１１４を備えているが、入力部１１３または表示部１１４の一方のみを備えていてもよい。
【００３９】
図３に示されるように、回動支持部１１６は、筐体１１１の後面１１５から後方に突出し、左右方向９に間隔を空けて配置された一対の凸部１１７と、右側の凸部１１７によって上下方向７に沿った軸線周りに回動可能に支持された回動部材１１８と、回動部材１１８を左側の凸部１１７側へ付勢するバネなどで構成された付勢部材（不図示）とを備えている。
【００４０】
装置筐体２１に係合部材１１９が配置されている。係合部材１１９は、一対の凸部１１７の間に位置するように、装置筐体２１に固定されている。係合部材１１９の右面には、パネル部１１０の回動方向（図５に示される矢印１０６の方向）に沿って間隔を空けて並んだ複数の凹部（不図示）が形成されている。この凹部に、回動部材１１８の回動先端部が挿入される。
【００４１】
回動部材１１８の回動先端部が係合部材１１９に設けられた複数の凹部の何れかに挿入することによって、パネル部１１０は、回動先端部が挿入された凹部の位置に応じた回動角度に保持される。パネル部１１０の回動に際して付勢部材の付勢力よりも大きな力が筐体１１１に付与されると、回動部材１１８は付勢部材の付勢力に抗って係合部材１１９の凹部から離間する向きに回動する。これにより、パネル部１１０は、矢印１０６（図５参照）の方向に回動可能となる。
【００４２】
パネル部１１０は、前面１１２が上下方向７及び左右方向９に拡がった面となる第１位置（図５に実線で示される位置）と、その下端（回動先端）が第１位置のときよりも上方に位置する第２位置（図５に破線で示される位置）との間で回動する。パネル部１１０が第１位置のとき、前面１１２は、後述する通信基板７０の表裏面と平行である。
【００４３】
なお、パネル部１１０を回動させるための構成は、上述した回動支持部１１６及び係合部材１１９を備えた構成に限らず、公知の構成が採用され得る。
【００４４】
［第１カバー１２０］
図８に示されるように、第１カバー１２０は、左右方向９に長い板形状の合成樹脂成形品である。第１カバー１２０は、左右方向９において、パネル部１１０における左側の凸部１１７の下方から、パネル部１１０の左端よりも若干左方まで延びている。第１カバー１２０は、前後方向８において、パネル部１１０の後方にパネル部１１０に近接して配置されている。第１カバー１２０は、上下方向７において、パネル部１１０の概ね中央部と同位置に配置されている。第１カバー１２０の下方に、後述する通信基板７０が配置されている。
【００４５】
第１カバー１２０は、左右方向９の両端部において、支柱（不図示）を介して後述する第２カバー１３０（図３参照）によって支持されている。上記支柱の一端は、第１カバー１２０に設けられた孔１３１にビス締めされ、上記支柱の他端は、第２カバー１３０に設けられた孔１３４（図３参照）にビス締めされている。
【００４６】
図７（Ｂ）に示されるように、第１カバー１２０は、前後方向８及び左右方向９に拡がった底板１２１と、底板１２１の前端から上方に延びており概ね左右方向９に延びた前板１２２と、底板１２１の後端から上方に延びており概ね左右方向９に延びた後板１２３とを備えている。これにより、第１カバー１２０には、底板１２１、前板１２２、及び後板１２３によって構成されており左右方向９に延びた凹部１２４が形成される。パネル部１１０の筐体１１１の上端と装置筐体２１との間から装置内部に浸入した液体は、図６（Ｂ）に矢印１２５で示される向きに流れて、凹部１２４に貯留される。
【００４７】
図７（Ｂ）に示されるように、第１カバー１２０は、底板１２１から上方に立設された複数のリブ１２６を備えている。これらのリブ１２６には、上端から下方へ凹んだ凹部１２７が形成されている。パネル部１１０（詳細には筐体１１１の内部に配置された入力部１１３及び表示部１１４）から延出されたケーブル（不図示）が、凹部１２７に嵌め込まれた状態でリブ１２６によって支持される。つまり、凹部１２７は、パネル部１１０から延出されたケーブルを保持する。
【００４８】
図６（Ｂ）及び図７（Ｂ）に示されるように、第１カバー１２０の底板１２１は、通信基板７０の上方に対応する位置において、上方へ盛り上がるように曲がった膨出部１２８を備えている。膨出部１２８の下側に、空間１２９が形成されている。この空間１２９に、通信基板７０が配置される。つまり、膨出部１２８は、上方から通信基板７０を覆っている。
【００４９】
［第２カバー１３０］
図３及び図５に示されるように、第２カバー１３０は、前後方向８及び左右方向９に拡がった板形状の合成樹脂成形品である。第２カバー１３０は、平面視において、装置筐体２１の概ね前半分を占めている。上述したように、第２カバー１３０は、支柱を介して第１カバー１２０を支持している。
【００５０】
第２カバー１３０は、後述する制御基板９０の上方に位置している。つまり、第２カバー１３０は、制御基板９０の上方を覆っている。図３に示されるように、本実施形態では、第２カバー１３０は、制御基板９０の左後部分及び右前部分を除く大部分の上方を覆っている。
【００５１】
図７（Ａ）に示されるように、第２カバー１３０の前端に、後方へ切り欠かれた切欠き部１３２が形成されている。切欠き部１３２は、制御基板９０に設けられており通信基板７０と接続される後述するコネクタ９４の上方に形成されている。切欠き部１３２を構成する第２カバー１３０の前端の縁１３３は、平面視において、概ねコネクタ９４に沿って延びている。これにより、第２カバー１３０は、コネクタ９４を上方から覆っていない状態となる。
【００５２】
［制御基板９０］
制御基板９０は、ガラスエポキシや紙フェノールなどで構成されており、少なくとも表面に配線パターンが形成されたプリント基板である。
【００５３】
図４に示されるように、制御基板９０は、装置筐体２１の内部に配置されている。制御基板９０は、その表裏面が前後方向８及び左右方向９に拡がるように配置されている。つまり、その表裏面は、装置筐体２１の載置面と平行となるように配置されている。ここで、表裏面とは、後述する実装部品９２が実装される面である。以下において、制御基板９０の表面は上面であり、裏面は下面であるとする。載置面とは、装置筐体２１が設置される際に設置対象（例えば、装置筐体２１が設置される机）と当接する面である。本実施形態において、載置面は、装置筐体２１の下面である。制御基板９０は、装置筐体２１の前側且つ左側に配置されている。なお、上述した表裏面と載置面とが平行となるように配置された構成には、表裏面が載置面に対して平行から僅かに傾いている構成も含まれる。
【００５４】
制御基板９０は、金属製の支柱（不図示）を介してシールド用板金９３（図９参照）によって支持されている。上記支柱の一端は、制御基板９０に設けられた孔１００にビス締めされ、上記支柱の他端は、シールド用板金９３に設けられた孔１０７（図９参照）にビス締めされている。また、図５に示されるように、シールド用板金９３は、支柱９６を介して支持板１０９によって支持されている。また、制御基板９０は、上述したように、上方を第２カバー１３０（図３参照）によって覆われている。
【００５５】
制御基板９０には、マイクロコンピュータ９１及び種々の実装部品９２などが実装されている。実装部品９２は、抵抗、ダイオード、コンデンサ、コイル等である。マイクロコンピュータ９１により、駆動モータ（不図示）、記録ヘッド６２、及びスキャナ部１２などの駆動を制御する制御回路が実現されている。つまり、制御基板９０には、複合機１０の動作を制御する制御回路が設けられている。
【００５６】
また、図７（Ａ）に示されるように、制御基板９０の前端部における左右方向９の中央部には、コネクタ９４が実装されている。なお、図７（Ａ）において、コネクタ９４は制御基板９０の表面に実装されているが、コネクタ９４は制御基板９０の裏面に実装されていてもよい。
【００５７】
コネクタ９４は、雄型である。また、コネクタ９４のリード９５は、屈曲している。これにより、コネクタ９４は、制御基板９０に実装された状態において、雌型のコネクタと接続される接続部が上下方向７に直交する方向（本実施形態では前方）に向いた状態となる。コネクタ９４は、後述する通信基板７０に実装された雌型のコネクタ（不図示）と接続される。つまり、制御基板９０は、通信基板７０と接続されるコネクタ９４を有している。なお、制御基板９０に雌型のコネクタが実装され、通信基板７０に雄型のコネクタが実装されていてもよい。
【００５８】
［通信基板７０］
通信基板７０は、ガラスエポキシや紙フェノールなどで構成されており、少なくとも表面に配線パターンが形成されたプリント基板である。
【００５９】
図４及び図６に示されるように、通信基板７０は、装置筐体２１の内部に配置されている。通信基板７０は、その表裏面が上下方向７及び左右方向９に拡がるように、つまりその表裏面が制御基板９０の表裏面と直交するように配置されている。ここで、表裏面とは、後述する電子部品（不図示）やコネクタ９４が実装される面である。以下において、通信基板７０の表面は前面であり、裏面は後面であるとする。なお、上述した通信基板７０の表裏面と制御基板９０の表裏面とが直交するように配置された構成には、各基板７０、９０の表裏面の一方が他方に対して直交から僅かに傾いている構成も含まれる。
【００６０】
通信基板７０は、後面に実装された雌型のコネクタ（不図示）が制御基板９０の表面に実装された雄型のコネクタ９４と接続されることによって、制御基板９０に支持される。これにより、通信基板７０は、制御基板９０とコネクタ９４を介して電気的に接続される。通信基板７０は、制御基板９０に支持された状態において、図６及び図７（Ａ）に示されるように、制御基板９０から上方へ突出している。
【００６１】
通信基板７０には、複合機１０と外部機器との間で無線通信を行うための種々の電子部品（不図示）が実装されている。ここで、外部機器としては、デジタルカメラ、パーソナルコンピュータなどが挙げられる。また、無線通信の例としては、Ｂｌｕｅｔｏｏｔｈ(登録商標）や赤外線通信が挙げられる。これら種々の電子部品により、複合機１０と外部機器との間の無線通信を行う通信回路が実現されている。つまり、通信基板７０には、通信回路が設けられている。
【００６２】
［パネル部１１０及び通信基板７０の相対的な配置位置］
図３及び図１０（Ａ）に示されるように、通信基板７０は、回動支持部１１６の前端位置Ｆ２よりも後方に位置し、回動支持部１１６の後端位置Ｂ（回動支持部１１６はパネル部１１０に設けられたものであるため、本実施形態において、当該後端位置Ｂはパネル部１１０の後端位置と一致する。）よりも前方に位置している。つまり、前後方向８（本発明の第１方向の一例）において、回動支持部１１６が占める位置範囲は、通信基板７０が占める位置範囲を包含している。
【００６３】
また、図３及び図１０（Ａ）に示されるように、通信基板７０は、パネル部１１０の左端位置Ｌよりも右方に位置し、パネル部１１０の右端位置Ｒよりも左方に位置している。つまり、前後方向８及び上下方向７（本発明の第２方向の一例）とそれぞれ直交する左右方向９（本発明の第３方向の一例）において、パネル部１１０が占める位置範囲は、通信基板７０が占める位置範囲を包含している。
【００６４】
なお、図１０（Ｂ）に示されるように、通信基板７０の一部が、回動支持部１１６の後端位置Ｂよりも後方に位置していてもよい。また、図１０（Ｃ）に示されるように、通信基板７０の一部が、回動支持部１１６の前端位置Ｆ２よりも前方に位置していてもよい。つまり、前後方向８において、通信基板７０及び回動支持部１１６が占める位置範囲の一部が重複していてもよい。また、前後方向８において、通信基板７０及び回動支持部１１６が占める位置範囲が完全に一致していてもよい。
【００６５】
また、図１０（Ｄ）に示されるように、通信基板７０の一部が、パネル部１１０の右端位置Ｒよりも右方に位置していてもよい。また、図１０（Ｅ）に示されるように、通信基板７０の一部が、パネル部１１０の左端位置Ｌよりも左方に位置していてもよい。つまり、左右方向９において、通信基板７０及びパネル部１１０が占める位置範囲の一部が重複していてもよい。また、左右方向９において、通信基板７０及びパネル部１１０が占める位置範囲が完全に一致していてもよい。
【００６６】
また、図１０（Ｆ）に示されるように、通信基板７０は、パネル部１１０の左端位置Ｌよりも左方に位置しており、パネル部１１０の前端位置Ｆ１よりも後方に位置し、パネル部１１０の後端位置Ｂよりも前方に位置していてもよい。つまり、前後方向８において、パネル部１１０が占める位置範囲は、通信基板７０が占める位置範囲を包含していてもよい。
【００６７】
また、図１０（Ｇ）に示されるように、通信基板７０は、パネル部１１０の左端位置Ｌよりも左方に位置しており、更に、通信基板７０の一部が、パネル部１１０の後端位置Ｂよりも後方に位置していてもよい。また、図１０（Ｈ）に示されるように、通信基板７０は、パネル部１１０の左端位置Ｌよりも左方に位置しており、更に、通信基板７０の一部が、パネル部１１０の前端位置Ｆ１よりも前方に位置していてもよい。つまり、前後方向８において、通信基板７０及びパネル部１１０が占める位置範囲の一部が重複していてもよい。また、前後方向８において、通信基板７０及びパネル部１１０が占める位置範囲が完全に一致していてもよい。
【００６８】
［実施形態の効果］
本実施形態によれば、前後方向８において通信基板７０及びパネル部１１０がそれぞれ占める位置範囲の少なくとも一部が重複しているので、装置の小型化が実現される。
【００６９】
また、本実施形態によれば、前後方向８において通信基板７０及び回動支持部１１６がそれぞれ占める位置範囲の少なくとも一部が重複しているので、装置の小型化が実現される。
【００７０】
また、本実施形態によれば、前後方向８及び左右方向９において通信基板７０及びパネル部１１０がそれぞれ占める位置範囲の少なくとも一部が重複しているので、装置の小型化が実現される。
【００７１】
また、本実施形態によれば、第２カバー１３０が切欠き部１３２を有しているため、切欠き部１３２を通じて通信基板７０を制御基板９０のコネクタ９４に接続することができる。
【００７２】
［変形例］
上述の実施形態では、パネル部１１０は、回動支持部１１６を備えることで、装置筐体２１に対して矢印１０６（図５参照）の方向に回動可能に構成されていたが、パネル部１１０は、回動支持部１１６を備えておらず、回動しないものであってもよい。この場合、パネル部１１０は、例えば第１位置（図５に実線で示される位置）に固定された状態で装置筐体２１に支持される。
【００７３】
また、本発明の第２基板は、通信回路を有する通信基板７０に限らない。例えば、本発明の第２基板は、装置筐体２１内部に配置された各機構への電力供給を制御する回路が実装された電源基板であってもよい。
【００７４】
また、本発明の電子装置は、複合機１０に限らず、例えば電話機やパーソナルコンピュータなどであってもよい。
【符号の説明】
【００７５】
１０・・・複合機
２１・・・装置筐体
７０・・・通信基板
９０・・・制御基板
９４・・・コネクタ
１１０・・・パネル部
１１３・・・入力部
１１４・・・表示部
１１６・・・回動支持部
１２０・・・第１カバー
１２４・・・凹部
１２７・・・凹部
１３０・・・第２カバー
１３２・・・切欠き部
【図１】
2015189034.tif 000003
【図２】
2015189034.tif 000004
【図３】
2015189034.tif 000005
【図４】
2015189034.tif 000006
【図５】
2015189034.tif 000007
【図６】
2015189034.tif 000008
【図７】
2015189034.tif 000009
【図８】
2015189034.tif 000010
【図９】
2015189034.tif 000011
【図１０】
2015189034.tif 000012